(57)【特許請求の範囲】
【請求項１】
互いに対向する一対の枠材間に回動自在に支持された複数のスラットと、これらのスラットを回動操作可能に前記枠材に設けられた操作部と、この操作部の操作を前記複数のスラットに伝達する伝達部とを有したルーバー装置であって、
前記枠材は、見込み方向に延びて前記スラットを軸支する第１見込み面と、この第１見込み面の見込み方向一方端から見付け方向外側に延びる見付け面と、前記第１見込み面に連続して前記見付け面よりも見込み方向一方側に延びる第２見込み面とを少なくとも有して形成され、
前記操作部は、前記枠材に固定される操作部本体と、この操作部本体に回転自在に支持された操作部材と、前記操作部本体にスライド自在に支持されたロック部材とを備え、前記操作部材は、前記枠材の見込み方向一方側に露出して回転操作可能な操作ダイヤルと、この操作ダイヤルと一体回転可能に設けられた主動ギアとを有し、
前記伝達部は、前記枠材に回転自在に支持されて前記主動ギアと噛合う従動ギアと、この従動ギアに連結されて前記枠材の長手方向に移動自在に設けられた連動部材と、この連動部材と前記複数のスラットの各々とを連結する複数の連結部材とを有して構成され、
前記枠材の見付け面に前記操作部の操作部本体が固定され、前記第１見込み面に前記伝達部の従動ギアが軸支され、前記操作部本体の見付け方向幅寸法が前記見付け面よりも小さく形成されるとともに、当該操作部本体および前記第２見込み面の見込み方向一方側端面が略同一見込み位置に設けられ、
前記ロック部材は、前記枠材の見込み方向一方側に露出した操作つまみと、前記主動ギアに噛合可能なロックギアとを有し、前記操作つまみの操作により、前記ロックギアが主動ギアに噛合って前記操作ダイヤルの回転を規制するロック位置と、前記ロックギアと主動ギアとの噛合いが解除される非ロック位置との間をスライド操作可能に構成され、前記操作部の操作ダイヤルと操作つまみとは、それぞれ前記第２見込み面よりも見込み方向一方側に突出して設けられ、
前記枠材の見付け面には、前記従動ギアを見込み方向一方側に挿通させる挿通孔が形成され、前記見付け面よりも見込み方向一方側における前記操作部本体内部にて前記従動ギアと前記操作部の主動ギアとが噛合わされているルーバー装置。
【請求項２】
前記ロック部材と前記操作部本体との間には、前記ロック位置と前記非ロック位置との各位置において当該ロック部材を位置決めする位置決め手段が設けられている請求項１に記載のルーバー装置。
【請求項３】
面状体と、この面状体に組み込んだルーバー装置とを備えた建具であって、
前記面状体は、上框、下框および左右の縦框を四周框組みした枠体を有して構成され、
前記ルーバー装置は、前記左右の縦框間に回動自在に支持された複数のスラットと、これらのスラットを回動操作可能に前記縦框に設けられた操作部と、この操作部の操作を前記複数のスラットに伝達する伝達部とを有し、
前記縦框は、見込み方向に延びて前記スラットを軸支する第１見込み面と、この第１見込み面の見込み方向一方端から見付け方向外側に延びる見付け面と、前記第１見込み面に連続して前記見付け面よりも見込み方向一方側に延びる第２見込み面とを少なくとも有して形成され、
前記操作部は、前記縦框に固定される操作部本体と、この操作部本体に回転自在に支持された操作部材と、前記操作部本体にスライド自在に支持されたロック部材とを備え、前記操作部材は、前記縦框の見込み方向一方側に露出して回転操作可能な操作ダイヤルと、この操作ダイヤルと一体回転可能に設けられた主動ギアとを有し、
前記伝達部は、前記縦框に回転自在に支持されて前記主動ギアと噛合う従動ギアと、この従動ギアに連結されて前記縦框の長手方向に移動自在に設けられた連動部材と、この連動部材と前記複数のスラットの各々とを連結する複数の連結部材とを有して構成され、
前記縦框の見付け面に前記操作部の操作部本体が固定され、前記第１見込み面に前記伝達部の従動ギアが軸支され、前記操作部本体の見付け方向幅寸法が前記見付け面よりも小さく形成されるとともに、当該操作部本体および前記第２見込み面の見込み方向一方側端面が略同一見込み位置に設けられ、
前記操作部本体は、前記縦框の見付け面に対して見込み方向一方側から固着具により固定されるベース部材と、このベース部材を覆って固定されるケース部材とを有し、これらのベース部材およびケース部材には、前記操作ダイヤルおよび操作つまみを挿通させる挿通孔が形成され、
前記ロック部材は、前記縦框の見込み方向一方側に露出した操作つまみと、前記主動ギアに噛合可能なロックギアとを有し、前記操作つまみの操作により、前記ロックギアが主動ギアに噛合って前記操作ダイヤルの回転を規制するロック位置と、前記ロックギアと主動ギアとの噛合いが解除される非ロック位置との間をスライド操作可能に構成され、前記操作ダイヤルと操作つまみとは、それぞれ前記第２見込み面よりも見込み方向一方側に突出して設けられ、
前記縦框の見付け面には、前記従動ギアを見込み方向一方側に挿通させる挿通孔が形成され、当該見付け面よりも見込み方向一方側における前記操作部本体内部にて前記従動ギアと前記操作部の主動ギアとが噛合わされている建具。
【請求項４】
前記面状体は、上レールに吊り下げ支持され、かつ、下レールに案内されて前記上下レールに沿って左右に移動可能に設けられている請求項３に記載の建具。
【発明の詳細な説明】
【技術分野】
【０００１】
本発明は、ルーバー装置および建具に関し、詳しくは、回動自在に支持された複数のスラットと、これらのスラットを回動操作可能な操作部とを有したルーバー装置、このルーバー装置を備えた建具に関する。
【背景技術】
【０００２】
従来、長手方向の回動軸回りに回動可能な複数のスラット（羽根）を有したルーバーであって、これらのスラットを回動させるための操作部を有したものが知られている（例えば、特許文献１参照）。
特許文献１に記載されたルーバーは、周囲に凹凸を有した操作用のハンドルと、このハンドルに一体に形成された第１のギアと、このギアと噛み合う第２のギアと、第２のギアと複数のスラットとを連結するアームとを有し、ハンドルを回転させることで、第１のギアを介して第２のギアが回動し、これに連結されたアームを介してスラットが回動するように構成されている。そして、操作部には、そのケースの上下に渡るロックボタンと、ロックボタンに連動するストッパとが設けられ、ロックボタンの下端部を押し上げることで、ストッパがハンドルの凹部に嵌り込んでハンドルの回転が規制され、ロックボタンの上端部を押し下げることで、ストッパがハンドルの凹部から外れてハンドルが回転操作できるようになっている。
【０００３】
【特許文献１】特開２００１−３２６４６号公報
【発明の開示】
【発明が解決しようとする課題】
【０００４】
しかしながら、従来のルーバーにおける操作部では、ストッパがハンドルの凹部に嵌り込んでハンドルの回転を規制するように構成されているため、回転が規制された状態つまりロック状態で、ハンドルを回転操作しようとしたりスラットを回動させる力が作用したりすると、ストッパとハンドルとが擦れてハンドルが傷付く可能性がある。さらに、ストッパがハンドルの凹部に嵌り込むことから、一の凹部と次の凹部との間隔に応じたハンドルの回転角度単位でしか回転規制できず、これに伴いスラットの回動ロック角度が段階的になってしまい、利用者の所望する角度でスラットがロックできないこともある。
また、ロックボタンの押動部がケースの上下に設けられているので、ロックボタンの操作がしにくいとともに、ロック状態か否かが利用者から判別しにくい。このため、ロックを掛けたつもりでもロックされておらず、意図せずスラットが回動してしまったり、逆にロックされた状態でハンドルを操作してしまったりなどの不都合が生じる。
【０００５】
本発明の目的は、操作部材の傷付きが防止できるとともに、ロック角度が微調節可能でかつロックとロック解除の操作性および判別性に優れたルーバー装置および建具を提供することにある。
【課題を解決するための手段】
【０００６】
本発明のルーバー装置は、互いに対向する一対の枠材間に回動自在に支持された複数のスラットと、これらのスラットを回動操作可能に前記枠材に設けられた操作部と、この操作部の操作を前記複数のスラットに伝達する伝達部とを有したルーバー装置であって、前記枠材は、見込み方向に延びて前記スラットを軸支する第１見込み面と、この第１見込み面の見込み方向一方端から見付け方向外側に延びる見付け面と、前記第１見込み面に連続して前記見付け面よりも見込み方向一方側に延びる第２見込み面とを少なくとも有して形成され、前記操作部は、前記枠材に固定される操作部本体と、この操作部本体に回転自在に支持された操作部材と、前記操作部本体にスライド自在に支持されたロック部材とを備え、前記操作部材は、前記枠材の見込み方向一方側に露出して回転操作可能な操作ダイヤルと、この操作ダイヤルと一体回転可能に設けられた主動ギアとを有し、前記伝達部は、前記枠材に回転自在に支持されて前記主動ギアと噛合う従動ギアと、この従動ギアに連結されて前記枠材の長手方向に移動自在に設けられた連動部材と、この連動部材と前記複数のスラットの各々とを連結する複数の連結部材とを有して構成され、前記枠材の見付け面に前記操作部の操作部本体が固定され、前記第１見込み面に前記伝達部の従動ギアが軸支され、前記操作部本体の見付け方向幅寸法が前記見付け面よりも小さく形成されるとともに、当該操作部本体および前記第２見込み面の見込み方向一方側端面が略同一見込み位置に設けられ、前記ロック部材は、前記枠材の見込み方向一方側に露出した操作つまみと、前記主動ギアに噛合可能なロックギアとを有し、前記操作つまみの操作により、前記ロックギアが主動ギアに噛合って前記操作ダイヤルの回転を規制するロック位置と、前記ロックギアと主動ギアとの噛合いが解除される非ロック位置との間をスライド操作可能に構成され、前記操作部の操作ダイヤルと操作つまみとは、それぞれ前記第２見込み面よりも見込み方向一方側に突出して設けられ、前記枠材の見付け面には、前記従動ギアを見込み方向一方側に挿通させる挿通孔が形成され、前記見付け面よりも見込み方向一方側における前記操作部本体内部にて前記従動ギアと前記操作部の主動ギアとが噛合わされていることを特徴とする。
【０００７】
以上の本発明によれば、ロック部材のロックギアが主動ギアに噛合って操作ダイヤルの回転を規制することで、ギアの歯の間隔に応じた回転角度単位で操作ダイヤルを回転規制することができ、この回転角度に応じてスラットの回動ロック角度を細かいピッチで微調節することができる。また、操作ダイヤルの表面に当接せずに、主動ギアにロックギアが噛合うことで、操作ダイヤルが傷付くことがなく、操作部の美観が維持できる。さらに、ロック部材の操作つまみが枠材の見込み方向一方側に露出して設けられ、つまり操作ダイヤルと同一の側に操作つまみが位置することで、操作つまみが操作しやすくなるとともに、利用者から視認しやすくできる。従って、ロック部材がロック位置にあるか、または非ロック位置にあるかが利用者から容易に判別でき、ロック位置にあるにも関わらず操作ダイヤルを誤操作したりスラットを持って回動させたりや、非ロック位置のままになっていて風などで意図せずにスラットが回動してしまうことなどが防止できる。
【０００８】
この際、本発明のルーバー装置では、前記操作部の操作ダイヤルと操作つまみとは、それぞれ前記操作部本体から見込み方向一方側に突出して設けられている。
このような構成によれば、操作ダイヤルおよび操作つまみがともに操作部本体よりも見込み方向一方側に突出して設けられることで、これらの操作性を一層向上させることができる。さらに、操作つまみが一方側に突出して設けられているので、ロック部材におけるロック位置または非ロック位置の判別性を高めることができる。
【０００９】
さらに、本発明のルーバー装置では、前記ロック部材と前記操作部本体との間には、前記ロック位置と前記非ロック位置との各位置において当該ロック部材を位置決めする位置決め手段が設けられていることが好ましい。
このような構成によれば、ロック位置や非ロック位置において位置決め手段によってロック部材を位置決めすることで、ロック部材が途中位置つまりロックギアと主動ギアとが中途半端に噛合った状態となることが防止でき、部品の破損が防止できるとともに、ロックまたはロック解除が確実に実行できる。
【００１０】
一方、本発明の建具は、面状体と、この面状体に組み込んだルーバー装置とを備えた建具であって、前記面状体は、上框、下框および左右の縦框を四周框組みした枠体を有して構成され、前記ルーバー装置は、前記左右の縦框間に回動自在に支持された複数のスラットと、これらのスラットを回動操作可能に前記縦框に設けられた操作部と、この操作部の操作を前記複数のスラットに伝達する伝達部とを有し、前記縦框は、見込み方向に延びて前記スラットを軸支する第１見込み面と、この第１見込み面の見込み方向一方端から見付け方向外側に延びる見付け面と、前記第１見込み面に連続して前記見付け面よりも見込み方向一方側に延びる第２見込み面とを少なくとも有して形成され、前記操作部は、前記縦框に固定される操作部本体と、この操作部本体に回転自在に支持された操作部材と、前記操作部本体にスライド自在に支持されたロック部材とを備え、前記操作部材は、前記縦框の見込み方向一方側に露出して回転操作可能な操作ダイヤルと、この操作ダイヤルと一体回転可能に設けられた主動ギアとを有し、前記伝達部は、前記縦框に回転自在に支持されて前記主動ギアと噛合う従動ギアと、この従動ギアに連結されて前記縦框の長手方向に移動自在に設けられた連動部材と、この連動部材と前記複数のスラットの各々とを連結する複数の連結部材とを有して構成され、前記縦框の見付け面に前記操作部の操作部本体が固定され、前記第１見込み面に前記伝達部の従動ギアが軸支され、前記操作部本体の見付け方向幅寸法が前記見付け面よりも小さく形成されるとともに、当該操作部本体および前記第２見込み面の見込み方向一方側端面が略同一見込み位置に設けられ、前記操作部本体は、前記縦框の見付け面に対して見込み方向一方側から固着具により固定されるベース部材と、このベース部材を覆って固定されるケース部材とを有し、これらのベース部材およびケース部材には、前記操作ダイヤルおよび操作つまみを挿通させる挿通孔が形成され、前記ロック部材は、前記縦框の見込み方向一方側に露出した操作つまみと、前記主動ギアに噛合可能なロックギアとを有し、前記操作つまみの操作により、前記ロックギアが主動ギアに噛合って前記操作ダイヤルの回転を規制するロック位置と、前記ロックギアと主動ギアとの噛合いが解除される非ロック位置との間をスライド操作可能に構成され、前記操作ダイヤルと操作つまみとは、それぞれ前記第２見込み面よりも見込み方向一方側に突出して設けられ、前記縦框の見付け面には、前記従動ギアを見込み方向一方側に挿通させる挿通孔が形成され、当該見付け面よりも見込み方向一方側における前記操作部本体内部にて前記従動ギアと前記操作部の主動ギアとが噛合わされていることを特徴とする。
【００１１】
以上の建具によれば、前述と同様に、建具に設けたルーバー装置において、操作ダイヤルの傷付きが防止できるとともに、スラットのロック角度が微調節可能でかつロックとロック解除の操作性および判別性を優れたものにできる。さらに、縦框の見付け面と第２見込み面とでＬ字形に形成された部分に操作部本体が位置し、この操作部本体の見込み方向一方側に操作ダイヤルおよび操作つまみが設けられているので、縦框と干渉することなく操作ダイヤルや操作つまみの操作性が良好にできるとともに、操作部本体が目立たず、建具の外観意匠性が良好にできる。また、第１見込み面に軸支された従動ギアが挿通孔を介して見込み方向一方側に延び、操作部本体内部で主動ギアと噛合うことで、ギア同士の噛合い位置を操作部本体で覆うことができ、ゴミや水滴等の付着を防止して円滑な動作が確保できる。
【００１２】
この際、本発明の建具では、前記縦框の見付け面には、前記操作ダイヤルを挿通させる挿通孔が形成されている。
このような構成によれば、見付け面に挿通孔を設けて操作ダイヤルを挿通することで、操作部本体が見込み方向一方側に出っ張ることなく操作ダイヤルの径寸法を大きくすることができ、径寸法の大きな操作ダイヤルにより操作性を向上させることができる。
【００１３】
また、本発明の建具では、前記面状体は、上レールに吊り下げ支持され、かつ、下レールに案内されて前記上下レールに沿って左右に移動可能に設けられていることが好ましい。
このような構成によれば、前述のような特長を有したルーバー装置が組み込まれた面状体を左右移動可能に設けたことで、透光と遮光とが切り換え可能な可動間仕切りや可動被覆部材として本発明の建具が利用可能になる。ここで、被覆部材としては、バルコニーやベランダ、外廊下などの建物の屋外空間や、窓先等に設置され、外部からの視線を遮る（遮視）ために用いられるものである。このような可動間仕切りや可動被覆部材を構成する面状体にルーバー装置を組み込むことで、遮光や通風等の機能を追加することができ、利用者の安心感や快適性を高めることができる。
【００１４】
さらに、前記操作部の操作ダイヤルと操作つまみとは、それぞれ前記縦框の第２見込み面よりも見込み方向一方側に突出して設けられている。
このような構成によれば、操作ダイヤルおよび操作つまみがともに縦框の第２見込み面よりも見込み方向一方側に突出して設けられることで、縦框との干渉をなくして操作性をより一層向上させることができる。
【発明を実施するための最良の形態】
【００１５】
以下、本発明の実施形態を図面に基づいて説明する。
図１は、本発明の実施形態に係る建具である被覆装置１を示す正面図である。図２および図３は、それぞれ被覆装置１を示す縦断面図および横断面図である。
図１〜図３において、被覆装置１は、集合住宅等のバルコニーの床２に固定された手摺３の見込み方向屋外側に配置され、手摺３に沿って移動可能に設けられている。具体的には、被覆装置１は、バルコニーの天井４に取り付けられた上レール５と、バルコニーの床２に取り付けられた下レール６と、これらの各レール５，６に案内される面状体としての被覆部材１０とを備えて構成されている。また、上レール５および下レール６の左右両端側におけるバルコニーの壁７（または柱）には、各レール５，６の端部に接続される見切り材（縦材）８が固定されている。すなわち、上レール５、下レール６および左右の見切り材８は、四周枠組みされて建物の躯体に固定されている。
【００１６】
上レール５および下レール６は、手摺３と平行な方向つまりバルコニーの見付け方向に延びて設けられ、ぞれぞれ固定部材５Ａ，６Ａおよびアンカーボルト５Ｂ，６Ｂを介して天井４および床２に取り付けられている。
上レール５は、略角筒状に形成され、その上面には、固定部材５Ａにビス止め固定される一対のヒレ部が形成され、その下面には、その長手方向に連続する開口（溝）５Ｃが形成されており、この開口５Ｃを挟んで配置される２つの水平面部５Ｄによって、後述する被覆部材１０の戸車１５Ｂが転動案内される。すなわち、上レール５によって被覆部材１０が吊り下げ支持されるようになっている。
一方、下レール６は、略板状に形成され、その下面には、固定部材６Ａにビス止め固定される一対のヒレ部が形成され、その上面には、下レール６の長手方向に連続する一条のガイドレール６Ｃが形成されている。そして、下レール６のガイドレール６Ｃによって、後述する被覆部材１０の摺動片１２Ａが摺動案内されるようになっている。
【００１７】
被覆部材１０は、全体枠状に四周框組みされた上框１１、下框１２および左右の縦框１３と、この枠内に回動自在に支持された複数のスラット１４とを備えている。複数のスラット１４は、左右の縦框１３間に渡って支持され、各スラット１４が上下方向に並んで配置されている。そして、各スラット１４は、その長手方向（水平方向）に沿った回転軸回りに回動可能に支持され、図２に実線で示すように、各スラット１４が略垂直になって上下のスラット１４同士の端部が見込み方向に重なる全閉状態や、仮想線（二点鎖線）で示すように、各スラット１４が略水平になる全開状態を含んで開閉動作可能に構成されている。すなわち、被覆部材１０には、開閉可能な複数のスラット１４を有するルーバー装置が組み込まれている。そして、スラット１４は、長方形状の矩形中空断面を有したアルミ形材製であり、全閉状態において、上側となる端面のバルコニー側縁から上方に突出する突片と、下側となる端面の屋外側縁から下方に突出する突片とを有して形成されている。
【００１８】
被覆部材１０の上框１１には、その上側に突出して上レール５に沿って移動する上吊り式の戸車装置１５が取り付けられている。この戸車装置１５は、断面コ字状に形成されてボルトを介して上框１１に連結された支持プレート１５Ａと、この支持プレート１５Ａの側面に回転自在に取り付けられた一対の戸車１５Ｂとを備えている。戸車１５Ｂは、上レール５の水平面部５Ｄ上を転動し、これにより戸車装置１５が上レール５に沿って移動可能になっている。
一方、下框１２の下面には、樹脂製の摺動片１２Ａが固定されている。この摺動片１２Ａには、下レール６のガイドレール６Ｃが挿入される溝が形成されている。従って、被覆部材１０はガイドレール６Ｃに案内されて見込み方向（バルコニーの内外方向）には移動せず、ガイドレール６Ｃの長手方向のみにスライド移動可能に設けられている。
【００１９】
また、図３に示すように、被覆部材１０の左右の縦框１３のうち、バルコニー側から見て左側の縦框１３には、当該被覆部材１０をスライド移動不能にロックするためのロック装置１６が設けられ、右側の縦框１３には、当該被覆部材１０のスラット１４を開閉操作するための開閉操作装置２０が設けられている。
ロック装置１６は、縦框１３のバルコニー側に取り付けられた操作つまみ１６Ａと、縦框１３の内部に設けられて操作つまみ１６Ａに連結された適宜なリンク機構と、このリンク機構に連結されて上下移動可能なロッド棒と、ロッド棒上端に取り付けられて上レール５に係合可能な係合部と、係合部を上レール５側に付勢するばねとを備えている。そして、操作つまみ１６Ａは、ロック位置と非ロック位置とに移動可能になっており、操作つまみ１６Ａを操作しない状態では、ばねの付勢力で係合部が上レール５に係合して被覆部材１０がスライド不能にロックされ、操作つまみ１６Ａを非ロック位置に移動操作することで、係合部が上レール５から離れてロックが解除され、被覆部材１０がスライド操作できるようになっている。
【００２０】
次に、開閉操作装置２０について、図４〜図７も参照して説明する。
図４は、開閉操作装置２０が設けられた位置における縦框１３の横断面図である。図５は、開閉操作装置２０の縦断面図である。図６は、開閉操作装置２０の伝達部２２を示す側面図である。図７および図８は、それぞれ開閉操作装置２０の操作部２１をバルコニー側から見た縦断面図および正面図である。
縦框１３は、図４に示すように、アルミ形材製であって、見込み方向に沿った第１見込み面部１３１と、この見込み面部１３１から見付け方向外側に延びる一対の見付け面部（一方側であるバルコニー側の第１見付け面部１３２、他方側である屋外側の第２見付け面部１３３）と、各見付け面部１３２，１３３の先端から互いに近づく方向に延びる突出片部１３４，１３５とを有して形成されている。さらに、縦框１３は、第１見込み面部１３１に連続して第１見付け面部１３２よりもバルコニー側に延びる第２見込み面部１３６と、第１見込み面部１３１に連続して第２見付け面部１３３よりも屋外側に延びる第３見込み面部１３７とを有して形成されている。そして、縦框１３は、突出片部１３４，１３５間に渡って固定される縦框カバー材１３８を有し、縦框１３には、第１見込み面部１３１と、第１および第２の見付け面部１３２，１３３と、縦框カバー材１３８とで囲まれた縦框中空部１３９が形成されている。
【００２１】
開閉操作装置２０は、縦框１３におけるバルコニー側の第１見付け面部１３２と第２見込み面部１３６との交差部に設けられる操作部２１と、縦框中空部１３９に設けられて操作部２１の操作力を複数のスラット１４に伝達する伝達部２２とを有して構成されている。操作部２１は、縦框１３に固定される操作部本体２３と、この操作部本体２３に回転自在に支持された操作部材２４と、操作部本体２３にスライド自在に支持されたロック部材２５とを備えて構成されている。一方、伝達部２２は、縦框１３の第１見込み面部１３１に回転自在に支持される従動ギア２６と、この従動ギア２６に連結されて縦框１３の長手方向に移動自在に設けられた連動部材２７と、この連動部材２７と複数のスラット１４の各々とを連結する複数の連結部材２８とを有して構成されている。
【００２２】
操作部本体２３は、金属板材から曲げ加工により形成されて縦框１３の第１見付け面部１３２に固定されるベース部材２３１と、このベース部材２３１を覆って固定されるケース部材２３２とを有して構成されている。ベース部材２３１には、後述する操作部材２４の回転軸２４１が支持されるとともに、ロック部材２５を上下スライド自在に支持するピン２３３が設けられている。また、ベース部材２３１およびケース部材２３２のバルコニー側側面には、後述する操作部材２４の操作ダイヤル２４２とロック部材２５の操作つまみ２５２とをバルコニー側に挿通させる挿通孔２３４，２３５が形成されている。そして、ケース部材２３２のバルコニー側側面は、縦框１３の第２見込み面部１３６先端と略同一見込み位置に設けられ、ケース部材２３２の他の側面は、縦框１３の第１見付け面部１３２先端と略同一見付け位置に設けられている。
【００２３】
操作部材２４は、ベース部材２３１に支持される回転軸２４１と、この回転軸２４１に軸支される操作ダイヤル２４２と、この操作ダイヤル２４２と一体回転可能に設けられた主動ギア２４３とを有して構成されている。操作ダイヤル２４２は、全体円盤状に形成され、その外周面に適宜な凹凸が形成されるとともに、操作部本体２３の挿通孔２３４から縦框１３の見込み方向バルコニー側に突出して設けられ、バルコニー側から回転操作可能になっている。また、主動ギア２４３は、操作部本体２３内部において従動ギア２６と噛合うように設けられており、この主動ギア２４３の回転が従動ギア２６に対して減速されて伝達されるようなギア比に設定されている。
【００２４】
ロック部材２５は、ベース部材２３１に上下スライド自在に支持されるロック部材本体２５１と、このロック部材本体２５１からバルコニー側に突出した操作つまみ２５２と、ロック部材本体２５１の下端部に形成されて操作部材２４の主動ギア２４３に噛合可能なロックギア２５３とを有して構成されている。ロック部材本体２５１には、ベース部材２３１のピン２３３が挿通されて案内される長孔２５１Ａが形成されている。また、操作つまみ２５２は、操作部本体２３の挿通孔２３５から縦框１３の見込み方向バルコニー側に突出して設けられ、バルコニー側からスライド操作可能になっている。そして、ロックギア２５３は、主動ギア２４３に噛合可能な適宜な本数の凹状歯形を有して形成されている。このようなロック部材２５は、ロックギア２５３が主動ギア２４３に噛合しない非ロック位置（図５、図７に実線で示す位置）と、ロックギア２５３が主動ギア２４３に噛合するロック位置（図５、図７に仮想線で示す位置）との間を上下スライド移動できるようになっている。
【００２５】
また、ロック部材本体２５１には、ベース部材２３１の内壁面に対して突没自在に設けられたボール２５４と、このボール２５４をベース部材２３１に向かって付勢するばね２５５とが設けられている。そして、ベース部材２３１の内壁面には、ロック位置と非ロック位置とにそれぞれ対応した図示しない凹みが形成されており、これらの凹みにボール２５４が係止されることで、ロック部材２５がロック位置と非ロック位置とに位置決めされるようになっている。すなわち、ロック部材２５のボール２５４およびばね２５５と、ベース部材２３１の凹みとで位置決め手段が構成されている。
【００２６】
一方、伝達部２２の従動ギア２６は、全体扇形で略１８０°の周長を有して形成され、所定高さ位置の１つのスラット１４を支持する回転軸１４１によって縦框１３の第１見込み面部１３１内面に回転自在に支持され、その外周に主動ギア２４３と噛み合う歯が形成されている。また、縦框１３の第１見付け面部１３２には、従動ギア２６を挿通させる挿通孔１３２Ａが形成されており、従動ギア２６の一部を第１見付け面部１３２よりもバルコニー側に突出させ、これにより従動ギア２６が主動ギア２４３と噛み合うように構成されている。さらに、挿通孔１３２Ａは、操作ダイヤル２４２の位置において見付け方向外側に拡大されており、操作ダイヤル２４２の一部を挿通させるように形成されている。すなわち、操作ダイヤル２４２の一部は、挿通孔１３２Ａを介して第１見付け面部１３２よりも屋外側に突出して設けられている。
【００２７】
連結部材２８は、その一端側が各スラット１４の回転軸１４１に軸支され、かつスラット１４に回転不能に連結されるとともに、他端側が連結ピン２８１を介して連動部材２７に連結されている。そして、従動ギア２６位置における連結部材２８の連結ピン２８１は、連動部材２７を貫通して、回転軸１４１と偏心した位置において従動ギア２６に連結されている。従って、主動ギア２４３を介して従動ギア２６が回転されると、連動部材２７が上下駆動されるとともに連結部材２８が回動し、その一端側に連結されたスラット１４が回動される。すなわち、操作部２１の操作ダイヤル２４２の回転操作が主動ギア２４３から従動ギア２６に伝達され、従動ギア２６から連動部材２７および連結部材２８を介して各スラット１４に伝達されるようになっている。また、連動部材２７には、各スラット１４位置に対応して屋外側に開口した上下一対の切欠き２７１が形成されており、操作部２１による回動操作の始点（後述する図９の位置）および終点（後述する図１１の位置）において、切欠き２７１に回転軸１４１を受け入れ可能になっている。さらに、受け入れた回転軸１４１が切欠き２７１の底部に当接することで、始点および終点を超えて回動操作ができない、つまり操作ダイヤル２４２の回転操作が規制されるようになっている。
【００２８】
次に、図９〜図１１に基づいて開閉操作装置２０およびスラット１４の動作を説明する。
図９には、スラット１４の全閉状態における開閉操作装置２０が示され、図１０には、スラット１４の全開状態における開閉操作装置２０が示されている。また、前述した図６には、スラット１４が屋外側に向かって下がる遮光状態における開閉操作装置２０が示され、図１１には、スラット１４が屋外側に向かって上がる透光状態（遮視状態）における開閉操作装置２０が示されている。
【００２９】
先ず、図９に示すように、スラット１４の全閉状態では、従動ギア２６の外周一端側（始点側であり、図９の右下側）の歯が主動ギア２４３と噛み合い、連結部材２８の連結ピン２８１が上方に位置して連動部材２７が上側に移動している。この全閉状態では、連動部材２７の一対の切欠き２７１のうち、下側の切欠き２７１に回転軸１４１が入り込み、切欠き２７１の底部と回転軸１４１とが当接することで、この位置よりも上方に連動部材２７が移動不能となっている。従って、従動ギア２６は、図９に示す状態から反時計回りには回転できず、これにより主動ギア２４３が時計回りには回転できず、操作ダイヤル２４２の下方への回転操作が規制されている。このような全閉状態では、上下に隣接するスラット１４同士の互いの端部が見込み方向に重なり、これらのスラット１４によって屋外とバルコニーとが仕切られ、屋外からの光や風、視線等が遮られるようになっている。
【００３０】
以上のような全閉状態から、操作ダイヤル２４２を上方（図９における反時計回り）へ回転操作すると、主動ギア２４３を介して従動ギア２６が時計回りに回転する。この従動ギア２６の回転に伴って連動部材２７および連結部材２８の連結ピン２８１が下方かつバルコニー側に移動する。さらに、連結部材２８が回動することで、その一端側（回転軸１４１側）に連結されたスラット１４が時計回りに回転し、図６に示すように、スラット１４が屋外側に向かって下がり傾斜を有し日光を遮ることができる遮光状態となる。このような遮光状態では、上下に隣接するスラット１４同士の間に、屋外側からバルコニーに向かって上がる傾斜を有した隙間が形成されるので、屋外からの風がバルコニーに導入可能で上方からの視線が遮られるようになっている。
【００３１】
以上のような遮光状態から、さらに操作ダイヤル２４２を上方へ回転操作することで、主動ギア２４３、従動ギア２６、連動部材２７および連結部材２８を介してスラット１４が時計回りに回転し、図１０に示すように、スラット１４が略水平な全開状態となる。このような全開状態では、上下に隣接するスラット１４同士の間に、屋外側からバルコニーに向かう隙間が形成されるので、屋外からの風がバルコニーに導入可能で、上方からの日光や下方からの視線の大半を遮ることができるようになっている。
【００３２】
以上のような全開状態から、さらに操作ダイヤル２４２を上方へ回転操作することで、図１１に示すように、スラット１４が屋外側に向かって上がり傾斜を有することで、日光を透過させるとともに、下方からの視線を遮ることができる透光状態（遮視状態）となる。このような透光状態では、上下に隣接するスラット１４同士の間に、屋外側からバルコニーに向かって下がる傾斜を有した隙間が形成されるので、屋外からの日光や風がバルコニーに導入可能になっている。
そして、以上の各状態において、操作部２１におけるロック部材２５を操作してロックギア２５３を主動ギア２４３に噛合させることで、従動ギア２６、連動部材２７および連結部材２８の移動が規制されてスラット１４をロックすることができる。また、ロックギア２５３と主動ギア２４３との噛合いを解除することで、前述のような操作ダイヤル２４２の回転操作が可能になり、スラット１４を任意の角度に調節できるようになっている。  また、操作ダイヤル２４２を前述と逆向きに回転操作することで、全開状態や透光状態から全閉状態に向かってスラット１４を開閉させることが可能である。
【００３３】
このような本実施形態によれば、以下のような効果がある。
（１）すなわち、ロック部材２５のロックギア２５３と主動ギア２４３との噛合いによって操作ダイヤル２４２の回転が規制されるので、操作ダイヤル２４２表面の傷が防止できるとともに、ギアの歯の間隔に応じた回転角度単位で操作ダイヤル２４２を回転規制することができる。従って、ギアの歯の間隔に応じた細かいピッチでスラット１４の回動ロック角度を微調節することができ、利用者の好みに応じた角度でスラット１４がロックでき、利便性を高めることができる。
【００３４】
（２）さらに、操作部材２４の操作ダイヤル２４２とロック部材２５の操作つまみ２５２とが同一方向に突出して設けられ、バルコニー側からできるようになっているので、操作ダイヤル２４２や操作つまみ２５２が操作しやすくなるとともに、利用者から視認しやすくできる。従って、ロック部材２５がロック位置にあるか非ロック位置にあるかが利用者から容易に判別でき、ロック位置にあるにも関わらず操作ダイヤル２４２を誤操作したり、スラット１４を持って回動させたりなどや、非ロック位置のままになっていて風などで意図せずにスラット１４が回動することなどが防止できる。
【００３５】
（３）  また、ロック部材２５のボール２５４およびばね２５５と、ベース部材２３１の凹みとで構成された位置決め手段が設けられているので、ロックギア２５３と主動ギア２４３とが中途半端に噛合う位置にロック部材２５が止まることが防止でき、部品の破損が防止できるとともに、ロックまたはロック解除が確実に実行できる。
【００３６】
（４）さらに、縦框１３の第１見付け面１３２と第２見込み面１３６とでＬ字形に形成された部分に操作部本体２３が設けられ、この操作部本体２３からバルコニー側に突出して操作ダイヤル２４２および操作つまみ２５２が設けられているので、縦框１３との干渉が防止でき、操作ダイヤル２４２や操作つまみ２５２の操作性が良好にできるとともに、操作部本体２３が目立たず、被覆装置１の外観意匠性が良好にできる。
【００３７】
（５）また、被覆部材１０が上レール５および下レール６に案内されて左右にスライド移動可能に構成されているので、利用者の好みに応じて被覆部材１０を移動させ、移動させた位置でスラット１４を開閉操作することができる。従って、所定の部屋の前方位置ではスラット１４を全閉状態としたり、他の部屋の前方位置ではスラット１４を全開状態としたり、あるいは遮光状態や遮視状態としたりすることで、利便性を格段に向上させることができる。
【００３８】
なお、本発明は、前記実施形態に限定されるものではなく、本発明の目的を達成できる他の構成等を含み、以下に示すような変形等も本発明に含まれる。
例えば、前記実施形態では、被覆装置１の被覆部材１０にルーバー装置を組み込んだ例を説明したが、本発明の建具は、このような被覆装置１に限らず、左右スライド可能に設けられた適宜な間仕切り装置等であってもよく、また、一般的な窓の屋外側に移動不能に固定された面格子等であってもよい。さらに、前記実施形態では、被覆部材１０の縦框１３にスラット１４が支持されたルーバー装置を説明したが、スラットを回動自在に支持する枠材としては、縦框に限らず、窓枠を構成する縦枠でもよく、また縦に延びる部材に限らず横材間にスラットが上下に延びて支持されていてもよい。
【００３９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４０】
【図１】本発明の実施形態に係る建具を示す正面図である。
【図２】前記建具を示す縦断面図である。
【図３】前記建具を示す横断面図である。
【図４】前記建具に設けられる開閉操作装置を示す横断面図である。
【図５】前記開閉操作装置の縦断面図である。
【図６】前記開閉操作装置の伝達部を示す側面図である。
【図７】前記開閉操作装置の操作部を示す縦断面図である。
【図８】前記開閉操作装置の操作部を示す正面図である。
【図９】前記建具に設けられたルーバー装置の全閉状態を示す側面図である。
【図１０】前記ルーバー装置の全開状態を示す側面図である。
【図１１】前記ルーバー装置の透光状態を示す側面図である。
【符号の説明】
【００４１】
１…建具である被覆装置、５…上レール、６…下レール、１０…面状体ある被覆部材、１１…上框、１２…下框、１３…一対の枠材である縦框、１４…スラット、２１…操作部、２２…伝達部、２３…操作部本体、２４…操作部材、２５…ロック部材、２６…従動ギア、２７…連動部材、２８…連結部材、１３１…第１見込み面部、１３２…第１見付け面部、１３２Ａ…挿通孔、１３６…第２見込み面部、２４１…回転軸、２４２…操作ダイヤル、２４３…主動ギア、２５２…操作つまみ、２５３…ロックギア。
【図１】
0004814850.tif 000002
【図２】
0004814850.tif 000003
【図３】
0004814850.tif 000004
【図４】
0004814850.tif 000005
【図５】
0004814850.tif 000006
【図６】
0004814850.tif 000007
【図７】
0004814850.tif 000008
【図８】
0004814850.tif 000009
【図９】
0004814850.tif 000010
【図１０】
0004814850.tif 000011
【図１１】
0004814850.tif 000012